(57)【要約】加入者の第１の移動通信装置から第２の移動通信装置への切換のための方法であって、第１および第２の移動通信装置が共通の電話番号を有し、また共通の口座を介して支払われる場合に用いられる方法に関する。本発明は、無線のインタフェースを介して第１および第２の移動通信装置間の信号を用いて切換を自動的に行うことを特徴とする。インタフェースとして、短距離通信技術を持つBluetooth（登録商標）インタフェースを用いると特に好ましい。
2005531997.tif 000002
【特許請求の範囲】
【請求項１】
加入者の第１の移動通信装置（２）から第２の移動通信装置（１）への切換のための方法であって、第１および第２の移動通信装置（１、２）が共通の電話番号を有し、かつ共通の口座を介して支払われる場合に用いる方法において、
切換を、無線のインタフェース（４）を介して第１および第２の移動通信装置（１、２）の間の信号を用いて自動的に行うことを特徴とする方法。
【請求項２】
無線のインタフェースとして短距離無線技術を有するインタフェースを使用することを特徴とする請求項１記載の方法。
【請求項３】
無線のインタフェースとしてBluetooth技術を使用することを特徴とする請求項２記載の方法。
【請求項４】
認証手続きを加入者に関し行うことを特徴とする請求項１から３の１つに記載の方法。
【請求項５】
認証手続きを加入者のＰＩＮの問合せにて行うことを特徴とする請求項４記載の方法。
【請求項６】
少なくとも加入者の第１および第２の通信装置（１、２）を含み、第１および第２の通信装置（１、２）が共通の電話番号を有し、かつ共通の口座を介して支払われる移動無線システムにおいて、
第１および第２の通信装置（１、２）が各無線のインタフェース（４）を有し、それを介して自動的に第１および第２の通信装置（１、２）の間の切換が可能であることを特徴とする移動無線システム。
【請求項７】
無線のインタフェース（４）が短距離無線技術を持つインタフェース、特にBluetoothインタフェースであることを特徴とする請求項６記載の移動無線システム。
【請求項８】
加入者の認証手続きを行うことを特徴とする請求項６又は７記載の移動無線システム。
【請求項９】
加入者の認証手続きをＰＩＮの問合せにより行うことを特徴とする請求項８記載の移動無線システム。
【発明の詳細な説明】
【技術分野】
【０００１】
本発明は、加入者の２つの移動無線装置間の利用に関する切換装置と方法に関する。加入者が例えばＧＳＭ／ＧＰＲＳ又はＵＭＴＳのような移動通信システム内の移動無線装置を利用したいならば、移動無線装置又は端末装置は所謂ＳＩＭ（加入者識別モジュール）を備えていなければならない。このＳＩＭにより加入者は移動無線システム又は網内で権限を付与される。加入者が複数の端末装置を利用するならば、加入者は新たに網内で各ＳＩＭを有する各々の利用される端末装置を介して権限を付与される。そのことは、加入者が例えば２つの端末装置の利用の際に、２つの相異なる口座を介して支払われる２つの相異なる電話番号を有する２つのＳＩＭカードを有することを意味する。支払いおよび利用のための加入者に対する２つの端末装置の利用を簡単化すべく、提供者から所謂ツインカードが提供される。ツインカードは下記の原理に従い機能する。即ち、網内で呼び出し転送により各端末装置に導かれる電話番号を持つ２つのＳＩＭカードに対する同一の口座処理。その際に網内で呼び出し転送が、呼び出しが最後にブックインされた端末装置に到達するよう切換えられる。第２の、利用されない端末装置は安全のため常にスイッチオフされているべきであろう。加入者がツインカードを備える端末装置から他の端末装置へ切換えたいならば、加入者は、加入者が現在利用したい装置が最後の装置として移動無線装置又は網内にブックインしていること注意せねばならない。このことは、特に短い時間間隔でのみ切換えたいなら、好ましくない。従って、これ迄は２つの端末装置間の手作業による切換しか可能でなかった。加入者は、加入者が現在通信したい端末装置が最後の端末装置として網内にブックインしていることに注意せねばならない。
【０００２】
従って本発明の課題は、移動無線装置の間の切換を自動的に行う方法と通信システムを提供することである。
【０００３】
この課題は請求項１の本発明による方法および請求項６の本発明による移動無線システムにより解決される。他の有利な実施例は相応の従属請求項に挙げてある。
【０００４】
請求項１によれば、加入者の第１の移動通信装置から第２の移動通信装置への切換のための方法が提供され、その際に第１および第２の移動通信装置が共通の電話番号を有し、また共通の口座を介して支払われ、また切換が無線のインタフェースを介して第１および第２の移動通信装置の間の信号を用いて自動的に行われる。
【０００５】
本発明によれば、網内で端末装置又は移動通信装置から他の端末装置又は移動通信装置への切換が自動的に能動化される。その際本発明によれば無線のインタフェースを経て、信号を用いた切換手続きが自動的に始まる。
【０００６】
無線のインタフェースとして短距離無線技術を持つインタフェースを使用するとよい。
【０００７】
インタフェースが再びBluetooth（登録商標）インタフェースであると特に好ましい。
【０００８】
Bluetoothインタフェースを有する端末装置又は通信装置が他の移動通信装置の到達距離内に進入すると、Bluetoothインタフェースを介してこのことが認識される。権限を付与された人のみに第２の移動通信装置への自動的なアクセスが許されるように、好ましくは認証手続きが加入者に関して行われる。こうして、例えばBluetooth技術のなかに集積されたセキュリティメカニズムが能動化される。
【０００９】
本発明の方法の好ましい実施例では、認証手続きが加入者のＰＩＮの問合せにより行われる。その際、次に加入者のＰＩＮか相応の端末装置又は移動通信装置内に記憶される。この結果端末装置への各々の更新されたアクセスがＰＩＮ 問合せなしに行われる。加入者の申告後にアルゴリズムが、移動通信装置が直接的な到達距離内に位置しているか否かを監視する。そのため移動通信装置が所謂ビーコンを特定の時間間隔で送り出す。他の移動通信装置はビーコンに回答し、またその後にすぐ次のビーコンを待つ。Bluetoothのようなシステムはこのようなメカニズムをシステム条件として付随している故、ここに所謂パークモードのビーコンチャネルが利用される。他の移動通信装置の回答が戻ってこないならば、最初の移動通信装置が能動化され、またこれに復帰するように切換えられる。
【００１０】
本発明による方法の利点は、無線技術、好ましくは短距離無線技術を介して加入者の近傍が認識され、また信号を介して相応の移動通信装置の間の切換が網に報知されることにある。それにより２つのツインカードシステムに対する２つの移動通信装置間の自動的な切換が実現する。
【００１１】
更に本発明は、少なくとも加入者の第１および第２の通信装置を含み、両通信装置が共通の電話番号を有し、かつ共通の口座を介して支払いを行う移動無線システムにおいて、第１および第２の通信装置が各無線のインタフェースを有し、それを介して自動的に第１および第２の通信装置の間の切換が可能なことを特徴とする移動無線システムを含む。
【００１２】
好ましくは、無線のインタフェース（４）は短距離無線技術を有するインタフェース、特にBluetoothインタフェースである。
【００１３】
本発明の移動無線システムの特に好ましい実施例では、加入者の認証手続きを行う。
【００１４】
これは好ましくは、既に記載したように、ＰＩＮの問合せにより行われる。
【００１５】
本発明の他の利点を、以下に図面により一層詳細に説明する。
【００１６】
図１は、ＧＳＭ／ＧＰＲＳ 通信モジュール１の形態の自動車通信システムと、移動無線網内に位置している移動電話２とを示す。両方の通信装置１、２はツインカードを備えている。ツインカードは特に自動車分野に利用される。その際に自動車内に、自動車内の環境に最適化されている通信モジュール１が設けられている。加入者が追加的に移動電話２を有するならば、加入者はツインカードを利用せねばならない。移動電話２を持つ加入者が、自動車内に設けたＧＳＭ／ＧＰＲＳ通信モジュール１のBluetoothセル３の到達距離内に入ると、移動電話２は無線のインタフェース、特に好ましくはBluetoothインタフェースを経て、自動的にＧＳＭ／ＧＰＲＳ通信モジュール１に申告する。該申告は、認証を保証すべく、好ましくはＰＩＮ 入力により追加的に保護し得る。移動電話２が成功裡に自動車のＧＳＭ／ＧＰＲＳ通信モジュール１に申告すると、ＧＳＭ／ＧＰＲＳ通信モジュール１は能動的な状態の切換を移動無線網に申告する。その結果、自動車の進入時自動的に、移動電話２からＧＳＭ／ＧＰＲＳ通信モジュール１への能動的な状態の切換が実行される。加入者が自動車のBluetoothセル３の到達距離から離脱すると、タイマ、即ち時間間隔の経過後に、設けられているＧＳＭ／ＧＰＲＳ通信モジュール１が離脱を申告され、かつ移動電話２が移動無線網に申告される。
【図面の簡単な説明】
【００１７】
【図１】本発明による方法の実施例の進行状況を示す概要図。
【符号の説明】
【００１８】
１  通信モジュール、２  移動電話、３  Bluetooth  セル
【図１】
2005531997.tif 000003
【国際調査報告】
2005531997.tif 000004
2005531997.tif 000005
2005531997.tif 000006
2005531997.tif 000007
2005531997.tif 000008
2005531997.tif 000009